(57)【要約】【課題】基板ケース開放の痕跡が残った部材を、他の基板ケースの部材と交換することにより、当該痕跡を取り除く不正行為を厳密に取り締まることが可能な遊技機用基板ユニットの提供を目的とする。【解決手段】基板ケース７を開放した時に、第１の部材１０と、該第１の部材１０に組み付けられた第２の部材１１の少なくとも一方に痕跡が残るよう構成された遊技機用基板ユニット６にあって、第１の部材１０と第２の部材１１が隣接する部位に、両部材１０，１１を跨いで識別情報５６を表示する割符表示部５１を配設するとともに、複数の部材を跨ぐことのない部位に、割符表示部５１と同一内容の識別情報５７を表示する非割符表示部５２を配設する。【選択図】図７
2020081682.tif 000002
【特許請求の範囲】
【請求項１】
遊技機用制御基板と、前記遊技機用制御基板を収容する基板ケースとを備え、遊技機に装着される遊技機用基板ユニットであって、
第１の部材と、前記第１の部材に組み付けられる第２の部材とを備え、前記基板ケースを開放した時に、前記第１の部材と前記第２の部材の少なくとも一方に痕跡が残るよう構成されたものであり、
前記第１の部材と前記第２の部材が隣接する部位に、両部材を跨いで識別情報を表示する割符表示部が配設され、
さらに、複数の部材を跨ぐことのない部位に、前記割符表示部と同一内容の識別情報を表示する非割符表示部が配設されていることを特徴とする遊技機用基板ユニット。
【請求項２】
前記第１の部材、前記第２の部材、及び前記非割符表示部が配設される部材は透明であり、
前記非割符表示部は、前記割符表示部よりも小さいことを特徴とする請求項１に記載の遊技機用基板ユニット。
【請求項３】
前記割符表示部及び前記非割符表示部は、夫々の識別情報を同じ方向から視認可能な部位に配設されていることを特徴とする請求項１又は請求項２に記載の遊技機用基板ユニット。
【請求項４】
前記非割符表示部は、前記第１の部材と前記第２の部材に夫々配設されており、
前記第１の部材に配設された前記非割符表示部と、前記第２の部材に配設された前記非割符表示部との間に、前記割符表示部が配設されていることを特徴とする請求項１乃至請求項３のいずれか１項に記載の遊技機用基板ユニット。
【発明の詳細な説明】
【技術分野】
【０００１】
本発明は、遊技機用制御基板と、前記遊技機用制御基板を収容する基板ケースとを備え、遊技機に装着される遊技機用基板ユニットに関する。
【背景技術】
【０００２】
遊技機用制御基板は、不正防止の観点から基板ケースに収容されて基板ユニットとして遊技機に装着される。かかる基板ユニットには、基板ケースを開放した時に、構成部材のいずれかに痕跡が残るよう封印構造が設けられている。かかる封印構造によれば、基板ユニットにおける痕跡の有無を確認することで、基板ケースが許可なく開放されていないかを確認できる。これに対して、複数組の基板ユニットの部材を寄せ集めることにより、基板ケース開放時の痕跡を消す不正方法が報告されている。すなわち、かかる不正方法は、開放の痕跡がついた部材を、他の基板ユニットの同種部材と交換することで、痕跡を残すことなく、細工を施した遊技機用制御基板を基板ケースに再収容するものである。
【０００３】
上記不正行為の対策として、基板ユニットの構成部材が相互に隣接する部位に、両部材の境界を跨いで識別情報を表示する割符表示部を設ける構成が提案されている（例えば、特許文献１）。かかる構成では、割符表示部が配設される２つの部材が、異なる識別情報の基板ユニットに由来するものである場合には、両部材の割符表示部に表示される識別情報の断片が符合せず、割符表示部の表示が識別情報として認識不能となるため、割符表示部の表示に基づいて、部材の組合せが不適切な基板ユニットを容易に発見できる。
【先行技術文献】
【特許文献】
【０００４】
【特許文献１】特開２０１５−８３０８７号公報
【発明の概要】
【発明が解決しようとする課題】
【０００５】
上記特許文献１の不正対策は、識別情報の異なる基板ユニットの部材を組み付けた場合に、割符表示部の表示が識別情報として認識し得ない態様となることを利用して、部材の組合せが不適切な基板ユニットを発見するものである。しかしながら、発明者の研究によれば、識別情報の異なる部材を組み付けた場合でも、一部の組合せでは、割符表示部の表示が識別情報として認識可能な態様となる場合があることが判明した（例えば、図１０（ａ）の割符表示部５１）。このような場合には、割符表示部の表示に違和感を覚えるものの、割符表示部の表示に基づいて、両部材の組合せが不適切であると判断することは難しい。同じ識別情報の部材同士を組み付けた場合でも、部材の伸縮や組付精度の誤差、印字のかすれ等により、割符表示部の表示に違和感を覚えることがあるためである（例えば、図１０（ｂ）の割符表示部５１）。
【０００６】
本発明は、かかる現状に鑑みて為されたものであり、複数組の基板ユニットの構成部材を寄せ集めた基板ユニットを、従来構成よりも厳しく取り締まることが可能な遊技機用基板ユニットの提供を目的とする。
【課題を解決するための手段】
【０００７】
本発明は、遊技機用制御基板と、前記遊技機用制御基板を収容する基板ケースとを備え、遊技機に装着される遊技機用基板ユニットであって、第１の部材と、前記第１の部材に組み付けられる第２の部材とを備え、前記基板ケースを開放した時に、前記第１の部材と前記第２の部材の少なくとも一方に痕跡が残るよう構成されたものであり、前記第１の部材と前記第２の部材が隣接する部位に、両部材を跨いで識別情報を表示する割符表示部が配設され、さらに、複数の部材を跨ぐことのない部位に、前記割符表示部と同一内容の識別情報を表示する非割符表示部が配設されていることを特徴とする遊技機用基板ユニットである。
【０００８】
かかる構成にあっては、従来構成と同様に、割符表示部の表示を識別情報として違和感なく認識できれば、第１の部材と第２の部材が適切な組合せであると判明し、割符表示部の表示を識別情報として認識不能であれば、第１の部材と第２の部材が不適切な組合せであると判明する。さらに、本発明では、割符表示部の表示が識別情報として認識可能であるものの、その表示に違和感があり、第１の部材と第２の部材の組合せに疑いがある場合でも、割符表示部から読み取った情報を、非割符表示部の識別情報と照合して、２つの情報が不整合であれば、両部材の組合せが不適切であると判明する。両部材の識別情報が一致していれば、割符表示部に表示される情報は、非割符表示部に表示される識別情報と必ず一致するためである。したがって、本発明によれば、複数組の基板ケースの部材を寄せ集めた基板ケースを、従来構成よりも厳しく取り締まることが可能となる。
【０００９】
本発明にあって、前記第１の部材、前記第２の部材、及び前記非割符表示部が配設される部材は透明であり、前記非割符表示部は、前記割符表示部よりも小さいことが提案される。ここで、非割符表示部が配設される部材は、第１の部材及び第２の部材と別部材に限られず、第１の部材又は第２の部材であってもよい。
【００１０】
一般的に、遊技機用基板ユニットの構成部材の多くは、基板ケースの内部を外部から視認できるよう透明になっている。このため、透明な部材に、本発明に係る割符表示部や非割符表示部を配設する場合は、上述のように、非割符表示部を、割符表示部よりも小さくする構成が提案される。割符表示部は、２つの部材を跨いで設けられた識別情報が符合するか否かを判断する必要があり、比較的高い視認性が要求されるが、非割符表示部は、割符表示部ほどの視認性は要求されないため、非割符表示部を割符表示部と同じ大きさにしたり、割符表示部よりも大きくしたりすると、基板ケース内部の視認性を無駄に低下させてしまうためである。
【００１１】
また、本発明にあって、前記割符表示部及び前記非割符表示部は、夫々の識別情報を同じ方向から視認可能な部位に配設されていることが提案される。かかる構成とすれば、割符表示部に表示される情報を、非割符表示部に表示される識別情報と容易に照合可能となる。
【００１２】
また、本発明にあって、前記非割符表示部は、前記第１の部材と前記第２の部材に夫々配設されており、前記第１の部材に配設された前記非割符表示部と、前記第２の部材に配設された前記非割符表示部との間に、前記割符表示部が配設されていることが提案される。
【００１３】
かかる構成にあっては、割符表示部の表示が符合しているか否かを判別し難い場合に、割符表示部から読み取った情報を、両部材に設けられた非割符表示部の識別情報と照合できるため、第１の部材と第２の部材の組合せが不適切な場合を、より厳密に発見可能となる。特に、かかる構成では、非割符表示部の間に割符表示部が配設されているため、割符表示部の表示を、両側の非割符表示部の識別情報と容易に照合できるという利点がある。
【図面の簡単な説明】
【００１４】
【図１】スロットマシン１の開放状態を示す斜視図である。
【図２】筐体２の内部構造を示す正面図である。
【図３】実施例１の基板ユニット６の斜視図である。
【図４】正面側から見た基板ケース７及び制御基板８の分解斜視図である。
【図５】背面側から見た基板ケース７及び制御基板８の分解斜視図である。
【図６】実施例１の基板ユニット６の右側部拡大断面図である。
【図７】実施例１の基板ユニット６の斜視図である。
【図８】（ａ）は、基板ケース７の右側中央部の拡大正面図であり、（ｂ）は、カバー部材１０の右側中央部の拡大正面図であり、（ｃ）は、ベース部材１１の右側中央部の拡大正面図である。
【図９】（ａ）及び（ｂ）は、夫々異なる識別情報のカバー部材１０とベース部材１１を組み合わせた場合の割符表示部５１の表示を示す説明図である。
【図１０】（ａ）異なる識別情報のカバー部材１０とベース部材１１を組み合わせた場合と、（ｂ）同じ識別情報のカバー部材１０とベース部材１１を組み合わせた場合の割符表示部５１の表示を示す説明図である。
【図１１】実施例２の基板ユニット６ａの斜視図である。
【図１２】実施例２の基板ユニット６ａの分解斜視図である。
【図１３】基板ケース７ａ及び制御基板８ａの分解斜視図である。
【図１４】割符表示部５１ａ及び非割符表示部５２ａを示す基板ケース７ａの正面図である。
【発明を実施するための形態】
【００１５】
本発明の実施形態を、以下の実施例に従って説明する。なお、下記実施例１，２において、本発明に係る第１の部材と第２の部材は、カバー部材１０，１０ａとベース部材１１，１１ａに相当する。
【実施例１】
【００１６】
図１は、本実施例の遊技機用基板ユニット６（以下、基板ユニットとも言う。）を備えるスロットマシン１である。図１に示すように、スロットマシン１の筐体２は前方に開放しており、前方から前扉３によって覆われている。図１に示すように、筐体２の中央部には三つのリール４が設けられ、前扉３の中央部には、リール４を視認するための視認窓５が設けられる。そして、本実施例の基板ユニット６は、筐体２の内部の、リール４の上方に装着される。
【００１７】
本実施例の基板ユニット６は、制御基板８を基板ケース７に収容してなるものである。図２，３に示すように、基板ユニット６は、屈曲した金属片からなる一対の取付金具９ａ，９ｂを備え、筐体２の背面側を覆う背板２ａに取付金具９ａ，９ｂが螺子１４で固定され、制御基板８を収容した基板ケース７が取付金具９ａ，９ｂに取り付けられる。ここで、左側の取付金具９ａと基板ケース７は、螺子１４で締結される。一方、右側の取付金具９ｂは、基板ケース７のスリット３８（図５参照）に差し込んだ状態で、後述するロック部材１２を貫通孔９ｃに挿通することによって、基板ケース７に係止される。また、各取付金具９ａ，９ｂを背板２ａに固定する螺子１４は、基板ケース７によって覆われることとなるため、基板ケース７の装着状態では、取付金具９ａ，９ｂは背板２ａから取り外し不能となる。なお、以下では、図２中の手前側を基板ユニット６及び基板ケース７の正面側とし、図２中の上下、左右を、基板ユニット６及び基板ケース７の上下、左右として説明する。
【００１８】
基板ケース７は、図４，５に示すように、背面側が開放された矩形箱状のカバー部材１０と、正面側が開放された矩形箱状のベース部材１１とを組み付けてなるものであり、カバー部材１０とベース部材１１の組付時に形成される内部空隙に、制御基板８が収容される。カバー部材１０及びベース部材１１は、透明樹脂からなる成形品であり、カバー部材１０とベース部材１１を透して基板ケース７の内部を視認できるよう構成されている。図３に示すように、基板ケース７に制御基板８を収容した状態では、制御基板８の正面側に実装されたコネクタ１６ａ，１６ｂのみが、カバー部材１０のコネクタ開口部２３から外部に露出しており、制御基板８の、コネクタ１６ａ，１６を除く部分は、カバー部材１０及びベース部材１１によって覆われる。制御基板８は、スロットマシン１の遊技を統括的に制御するメイン制御基板である。かかる制御基板８は、既存のスロットマシンに配設される一般的なものであるため、詳細な説明は省略する。
【００１９】
制御基板８に対する不正行為を防止するために、基板ケース７に制御基板８を収容した状態で、カバー部材１０とベース部材１１は分離困難に係合する。具体的には、図４，５に示すように、カバー部材１０の左側壁２１ｂの係合孔２４に、ベース部材１１の左側壁３１ｂの係合爪３４を係合させた状態で、右側部の封印構造４０によって両部材１０，１１の右側壁２１ａ，３１ａが係合され、さらに、背面側から固定螺子１３によって両部材１０，１１が相互に締結される。
【００２０】
封印構造４０は、図３〜５に示すように、カバー部材１０とベース部材１１の右側壁２１ａ，３１ａに形成された貫通孔２５，３５に、ロック部材１２を挿通することにより、両部材１０，１１の右側壁２１ａ，３１ａを係合させるものである。封印構造４０は、基板ケース７の右側部に４組設けられており、任意の封印構造４０によって、カバー部材１０とベース部材１１の右側壁２１ａ，３１ａを係合可能となっている。ロック部材１２は、矩形板状の操作部４１に係止ピン４２を突成してなる樹脂部材である。ベース部材１１の右側壁３１ａには、ロック部材保持枠３６が突成されており、ロック部材１２は、係止ピン４２を内側に向けて、ロック部材保持枠３６に保持されている。そして、図６に示すように、かかるロック部材１２の操作部４１を内側に押し込むと、カバー部材１０とベース部材１１の右側壁２１ａ，３１ａを係止ピン４２が貫通し、両部材１０，１１の右側壁２１ａ，３１ａが係止ピン４２によって係合されて、当該封印構造４０により基板ケース７が封印される。
【００２１】
封印構造４０によって基板ケース７が封印されると、カバー部材１０又はベース部材１１に開口部を形成しなければ、基板ケース７を開放できない。返しが形成された係止ピン４２を両部材１０，１１の右側壁２１ａ，３１ａから抜き取るのは困難であり、基板ケース７の内部に切断用工具を挿入して、基板ケース７の内部で係止ピン４２を切断しなければ、カバー部材１０とベース部材１１の係合を解除できないためである。このため、本実施例では、図６に示すように、カバー部材１０の、各封印構造４０の正面側部分に、切断用工具挿入用の開口部を容易に形成可能な矩形状の薄肉部２６が設けられている。
【００２２】
このように、本実施例では、基板ケース７を開放するためには、カバー部材１０又はベース部材１１（通常は、カバー部材１０の薄肉部２６）に開口部を形成しなければならず、基板ケース７を開放した時に、カバー部材１０又はベース部材１１に開口部を形成した痕跡が残るよう構成されている。このため、本実施例にあっては、カバー部材１０及びベース部材１１において開口部の痕跡の有無をチェックすることにより、基板ケース７が許可なく開放されていないかを確認できる。
【００２３】
以下に本発明の要部に係る構成について説明する。
図７に示すように、本実施例の基板ユニット６には、基板ケース７の右側部の正面側に、識別情報５６，５７を表示する２つの識別情報表示部５１，５２が配設される。１つ目の識別情報表示部は、カバー部材１０とベース部材１１が隣接する部位に、カバー部材１０とベース部材１１を跨いで識別情報５６を表示する割符表示部５１である。２つ目の識別情報表示部は、複数部材に跨がることなく、ベース部材１１においてのみ識別情報５７を表示する非割符表示部５２である。割符表示部５１と非割符表示部５２に表示される識別情報５６，５７は、基板ユニット６ごとに割り当てられる１０桁シリアル番号であり、割符表示部５１と非割符表示部５２には、同じシリアル番号が印字される。各識別情報５６，５７の印字方法としては、印字が容易で、消去・改変が困難なレーザマーキングが好適である。
【００２４】
割符表示部５１について詳述すると、図７，８に示すように、割符表示部５１は、カバー部材１０のカバー側表示部５３と、ベース部材１１のベース側表示部５４に跨がって配設される。カバー側表示部５３は、図７，８（ｂ）に示すように、カバー部材１０の天板部２０の右側端中央部に位置する平坦部である。また、ベース側表示部５４は、図７，８（ｃ）に示すように、ベース部材１１のロック部材保持枠３６の手前側に設けられた平坦部である。図７に示すように、カバー側表示部５３とベース側表示部５４は、カバー部材１０とベース部材１１を組み付けた状態で、面一となって左右に隣接するよう構成される。そして、割符表示部５１の識別情報５６は、カバー側表示部５３とベース側表示部５４が隣接した状態で、カバー側表示部５３とベース側表示部５４に跨がるように、各数字５８の上部を右向きにして、縦一列に印字される。より具体的には、図８（ａ）に示すように、割符表示部５１では、識別情報５６を表す各数字５８の中心が、カバー部材１０とベース部材１１の境界線５５と交わるように印字される。すなわち、図８（ｂ），８（ｃ）に示すように、割符表示部５１の識別情報５６を表す各数字５８の下半分５８ａがカバー側表示部５３に印字され、上半分５８ｂがベース側表示部５４に印字される。
【００２５】
図７，８に示すように、非割符表示部５２は、ベース側表示部５４にのみ配設されて、割符表示部５１の右側に隣接する。非割符表示部５２に印字される識別情報５７は、割符表示部５１の識別情報５６と同様に、各数字５９の上部を右向きにして、縦一列に印字される。ここで、非割符表示部５２では、識別情報５７を表す各数字５９の縦横寸法が、割符表示部５１の数字５８の１／２程度となっており、非割符表示部５２の面積は、割符表示部５１の１／４程度となっている。
【００２６】
かかる構成にあっては、図８（ｂ），８（ｃ）に示すように、カバー側表示部５３又はベース側表示部５４に印字された数字５８の断片５８ａ，５８ｂだけでは、割符表示部５１に表示される識別情報５６を認識困難であり、図８（ａ）に示すように、カバー部材１０とベース部材１１を組み付けて、両部材１０に印字された数字５８の断片５８ａ，５８ｂを符合させることにより、割符表示部５１に表示される識別情報５６を認識可能となる。
【００２７】
また、カバー部材１０とベース部材１１を組み付けた場合でも、両部材１０，１１の識別情報が相違する場合は、基本的に、割符表示部５１の表示を識別情報５６として認識不能となる。図９（ａ），９（ｂ）は、本実施例にあって、異なる識別情報５６のカバー部材１０とベース部材１１を組み付けた場合における、割符表示部５１の表示例を示したものである。かかる場合には、両部材１０，１１に印字された数字の断片５８ａ，５８ｂの一部又は全部が割符表示部５１で符合せず、割符表示部５１に明らかに数字とは異なる異常な記号６０が表示されるため、割符表示部５１の表示を識別情報（シリアル番号）５６と認識できない。このように、本実施例では、異なる基板ユニット６のカバー部材１０とベース部材１１を組み付けた場合には、基本的に、割符表示部５１の表示が、識別情報５６として認識できない異常な態様となる。このため、本実施例にあっては、割符表示部５１の表示を確認して、識別情報５６（１０桁のシリアル番号）と認識し得ない場合には、カバー部材１０とベース部材１１の組合せが不適切であり、複数の基板ユニット６の寄せ集めであると判断できる。
【００２８】
上述のように、本実施例では、割符表示部５１の表示を識別情報５６と認識し得ないことをもって、カバー部材１０とベース部材１１の組合せが不適切であると判断できる。しかしながら、識別情報５６は、各基板ユニット６に固有の数字であって、識別情報５６が相違する場合の組合せの数は膨大であるため、識別情報５６が相違する組合せであっても、そのごく一部では、数字の断片５８ａ，５８ｂの組合せが数字として認識不能な態様とならず、違和感はあるものの、割符表示部５１の表示を識別情報（１０桁のシリアル番号）と認識可能となる。例えば、図１０（ａ）は、カバー部材１０とベース部材１１の識別情報５６が相違する組合せであるが、割符表示部５１の表示を、違和感があるものの、「６７２３４６０９８９」と認識可能である。
【００２９】
一方、カバー部材１０とベース部材１１の識別情報５６が一致する場合であっても、両部材１０，１１の伸縮や組付精度の誤差、印字のかすれ等によって、両部材１０，１１の数字５８の断片５８ａ，５８ｂが完全には一致しておらず、割符表示部５１の識別情報５６を読み取る際に、違和感を覚える場合もある。例えば、図１０（ｂ）は、カバー部材１０とベース部材１１の識別情報５６が一致する組合せであるが、両部材１０，１１の組付けが多少ずれているため、割符表示部５１の識別情報５６が、違和感のある表示態様となっている。
【００３０】
このように、本実施例にあっては、割符表示部５１の表示を確認して、当該表示を識別情報５６（１０桁のシリアル番号）と認識し得ない場合には、カバー部材１０とベース部材１１の組合せが不適切であると判断できる。また、割符表示部５１の表示を識別情報５６として違和感なく認識可能な場合には、カバー部材１０とベース部材１１の組合せが適切であると判断できる。しかしながら、割符表示部５１の表示を識別情報として認識可能であっても、その表示態様に違和感がある場合には、カバー部材１０とベース部材１１の識別情報が一致しているケースと、不一致のケースの双方が考えられるため、割符表示部５１に基づいて、カバー部材１０とベース部材１１の組合せが適切であるか否かを厳密に判断することは難しい。
【００３１】
これに対して、本実施例では、割符表示部５１に隣接するように非割符表示部５２が設けられているため、割符表示部５１の表示に違和感を覚えた場合には、割符表示部５１から読み取れる識別情報５６と、非割符表示部５２から読み取れる識別情報５７とを照合することで、両部材１０，１１の組合せが適切であるか否かを、より厳密に判別できる。具体的には、図１０（ａ）の組合せであれば、割符表示部５１から読み取れる識別情報「６７２３４６０９８９」と、非割符表示部５２から読み取れる識別情報「６７９２４６０８９０」が一致しないため、カバー部材１０とベース部材１１の識別情報が相違していると判断できる。一方、図１０（ｂ）の組合せであれば、割符表示部５１から読み取れる識別情報「０１２３４５６７８９」と、非割符表示部５２から読み取れる識別情報「０１２３４５６７８９」が一致するため、カバー部材１０とベース部材１１の識別情報が同一であると判断できる。
【００３２】
以上のように、本実施例の基板ユニット６は、基板ケース７を開放した時に、カバー部材１０又はベース部材１１に開口部の痕跡が残るよう構成されているため、当該痕跡の有無を確認することで、許可なく基板ケース７が開放されていないかを確認できる。
【００３３】
また、本実施例では、カバー部材１０とベース部材１１を跨ぐように設けられた割符表示部５１に、基板ユニット６に固有の識別情報５６が表示されているため、割符表示部５１の表示を識別情報５６として認識可能であるか否かによって、識別情報の異なるカバー部材１０とベース部材１１を寄せ集めた基板ユニット６を見破ることができる。
【００３４】
さらに、本実施例では、割符表示部５１と同一内容の識別情報５７を表示する非割符表示部５２が配設されている。このため、割符表示部５１の表示だけでは、２つの部材１０，１１の組合せが適切であるか否かの判断がつきかねる場合に、割符表示部５１と非割符表示部５２の識別情報５６，５７と照合することで、両部材１０，１１の組合せが適切であるか否かを、より厳密に判別できる。したがって、本実施例によれば、異なる基板ユニット６のカバー部材１０とベース部材１１を組み合わせた基板ユニット６を、従来構成よりも厳しく取り締まることが可能となる。
【００３５】
また、本実施例では、割符表示部５１と非割符表示部５２の双方が、基板ケース７の正面側に設けられているため、割符表示部５１の表示内容と、非割符表示部５２の表示内容とを正面側から同時に見比べることができるという利点がある。特に、本実施例では、割符表示部５１と非割符表示部５２が近接しているため、視点を殆ど動かすことなく夫々の表示内容を照合できる。
【００３６】
また、本実施例では、透明なカバー部材１０やベース部材１１に、割符表示部５１や非割符表示部５２を配設して識別情報５６，５７を印字しているため、基板ケース７の内部の視認性が識別情報５６，６７によって多少低下するが、割符表示部５１ほどの視認性を要求されない非割符表示部５２のサイズを、割符表示部５１よりも小さくしているため、基板ケース７の内部の視認性低下を最低限に抑えることができる。
【実施例２】
【００３７】
図１１は、本実施例の基板ユニット６ａである。かかる基板ユニット６ａは、実施例１の基板ユニット６に替えて、スロットマシン１の筐体２の背板２ａに装着され得るものである。
図１２に示すように、本実施例の基板ユニット６ａは、基板ケース７ａや基板ホルダ７１等を備えている。基板ケース７ａは、図１３に示すように、背面側が開放された矩形箱状のカバー部材１０ａと、正面側が開放された矩形箱状のベース部材１１ａとを組み付けてなるものであり、カバー部材１０ａとベース部材１１ａの組付時に形成される内部空隙に、制御基板８ａが収容される。カバー部材１０ａとベース部材１１ａは、正面側から螺子止めされるとともに、両部材１０ａ，１１ａの上部両側に形成された係合部７２ａ，７２ｂにおいて係合する。係合部７２ａ，７２ｂは、基板ケース７ａの封印構造を構成するものであり、係合部７２ａ，７２ｂの配設部位でカバー部材１０ａ又はベース部材１１ａを破壊しなければ、両部材１０ａ，１１ａの係合を解除できないよう構成される。すなわち、本実施例の基板ユニット６ａでは、基板ケース７ａを開放した時に、カバー部材１０ａ又はベース部材１１ｂの係合部７２ａ，７２ｂに、破壊の痕跡が残ることとなる。なお、カバー部材１０ａ及びベース部材１１ｂは、制御基板８ａや係合部７２ａ，７２ｂを視認できるよう透明樹脂によって構成されている。
【００３８】
図１２に示すように、基板ホルダ７１は板状の樹脂部材である。基板ユニット６ａは、基板ホルダ７１を、実施例１に係る筐体２の背板２ａ（図２参照）に螺子止めすることによって、スロットマシン１に装着され得る。基板ホルダ７１の正面側には、基板ケース７ａが装着される。具体的には、基板ケース７ａの両側下部の支軸７５ａ，７５ｂを、基板ホルダ７１の両側下部の軸受７４ａ，７４ｂで支持することにより、基板ケース７ａが、基板ホルダ７１に対して正面側に傾倒可能に保持される。また、基板ホルダ７１の正面左側部には、制御基板８ａと、他の制御基板（図示省略）との通信を中継する中継基板７３が係止される。
【００３９】
また、図１２に示すように、基板ケース７ａを基板ホルダ７１に装着した状態で、基板ケース７ａの右下部の支軸７５ａに、係止ピン７６が嵌着される。かかる係止ピン７６の嵌着によって、基板ケース７ａは開放困難に係止されるとともに、右下部の支軸７５ａを基板ホルダ７１の軸受７４ａから脱落させ得ないよう係止される。また、図１２に示すように、係止ピン７６により基板ケース７ａを係止した状態で、基板ホルダ７１の右側部に、支軸７５ａから係止ピン７６を抜き取り得ないように覆うピン被覆部材７８が螺子止めされる。そして、ピン被覆部材７８を基板ホルダ７１に螺子止めする螺子固定部７９には、螺子止めした後に封印部材８０ａが嵌着される。かかる封印部材８０ａは、螺子固定部７９に対して脱落不能に係合しており、螺子固定部７９又は封印部材８０ａを破壊しなければ、基板ホルダ７１からピン被覆部材７８を取り外し得ないよう構成される。すなわち、かかる構成によれば、ピン被覆部材７８を基板ホルダ７１から取り外す時に、螺子固定部７９又は封印部材８０ａに痕跡が残ることとなる。
【００４０】
また、図１１，１２に示すように、基板ケース７ａの正面側には、基板ケース７ａを覆う保護部材８２が螺子止めされる。そして、保護部材８２を基板ケース７ａに螺子止めする螺子固定部８３には、螺子止めした後に封印部材８０ｂが嵌着される。かかる封印部材８０ｂは、螺子固定部８３に対して脱落不能に係合しており、螺子固定部８３又は封印部材８０ｂを破壊しなければ、基板ケース７ａから保護部材８２を取り外し得ないよう構成される。すなわち、かかる構成によれば、保護部材８２を基板ケース７ａから取り外す時に、螺子固定部８３又は封印部材８０ｂに痕跡が残ることとなる。
【００４１】
このように、本実施例では、基板ケース７ａを開放した時に、カバー部材１０ａ又はベース部材１１ａの係合部７２ａ，７２ｂに破壊の痕跡が残るため、係合部７２ａ，７２ｂにおいて痕跡の有無を確認することにより、基板ケース７が許可なく開放されていないかを確認できる。また、上述のように、本実施例では、ピン被覆部材７８や保護部材８２を取り外した場合にも破壊の痕跡が残ることとなる。本実施例に係る基板ケース７ａを開放させるためには、ピン被覆部材７８及び保護部材８２の取外しが必須であるため、係合部７２ａ，７２ｂだけでなく、封印部材８０ａ，８０ｂの嵌着部位において、破壊の痕跡の有無を確認することによっても、基板ケース７ａが許可なく開放されていないかを確認できる。
【００４２】
そして、図１３，１４に示すように、本実施例の基板ユニット６ａにも、基板ケース７ａの右側部正面側に、識別情報５６，５７を表示する割符表示部５１ａと非割符表示部５２ａが設けられる。なお、図１１，１２に示すように、割符表示部５１ａ及び非割符表示部５２ａは保護部材８２で覆われているが、保護部材８２は透明であるため、基板ユニット６ａの正面側から保護部材８２を透して容易に視認可能である。割符表示部５１ａ及び非割符表示部５２ａに表示される識別情報５６，５７は、実施例１と同じ１０桁のシリアル番号であり、レーザマーキングにより、透明な基板ケース７ａに黒色系統の色で印字される。割符表示部５１ａは実施例１と同様に、カバー部材１０ａのカバー側表示部５３ａと、ベース部材１１ａのベース側表示部５４ａとに跨がって配設されており、識別情報５６を表す各数字５８の中心と、両部材１０ａ，１０ｂの境界線５５ａが交差している。一方、本実施例では、非割符表示部５２ａが、割符表示部５１ａの左右に隣接するように、カバー側表示部５３ａとベース側表示部５４ａに一箇所ずつ配設される。また、本実施例にあっても、割符表示部５１ａ及び非割符表示部５２ａによる、基板ケース７ａの内部の視認性低下を抑えるために、各非割符表示部５２ａを割符表示部５１ａの１／４程度の面積としている。このように、本実施例では、カバー部材１０ａとベース部材１１ａに非割符表示部５２ａが夫々配設されているため、割符表示部５１ａの表示に違和感を覚えた場合に、割符表示部５１ａから読み取った識別情報５６を、両部材１０ａ，１１ａの非割符表示部５２ａと照合することで、カバー部材１０ａとベース部材１１ａの組合せが適切であるか否かを、実施例１よりも厳密に判別可能となる。両部材１０ａ，１１ａの識別情報が相違していても、割符表示部５１ａから読み取れる識別情報５６と、片側の非割符表示部５２ａの識別情報５７が一致する場合があり得るためである。特に、本実施例では、両部材１０ａ，１０ｂの非割符表示部５２ａに挟まれるように割符表示部５１ａが配設されているため、割符表示部５１ａの表示を、両部材１０ａ，１１ａの非割符表示部５２ａの表示と容易に照合できるという利点がある。
【００４３】
以上に本発明の実施例を説明したが、本発明の基板ユニットは、上記実施例の形態に限らず本発明の要旨を逸脱しない範囲内において種々変更を加えることができる。例えば、上記実施例は、スロットマシンのメイン制御基板に係る基板ユニットであるが、本発明は、スロットマシンの他の制御基板（サブ制御基板や画像制御基板等）に係る基板ユニットであってもよいし、他の遊技機（パチンコ機等）に係る基板ユニットであってもよい。
【００４４】
また、上記実施例の基板ユニットでは、割符表示部が１箇所、非割符表示部が１箇所又は２箇所に配設されているが、割符表示部と非割符表示部の数は適宜変更可能である。また、上記実施例では、割符表示部及び非割符表示部が、基板ケースの右側部正面側に配設されているが、割符表示部及び非割符表示部の配設位置は、適宜変更可能である。
【００４５】
また、上記実施例では、割符表示部が、カバー部材とベース部材に跨がるように配設されているが、本発明に係る割符表示部は、基板ユニットの他の構成部材に跨がるように配設されていてもよい。例えば、実施例２の基板ユニット６ａでは、基板ケース７ａの開放時に、ピン被覆部材７８と封印部材８０ａの一方が破壊されるため、ピン被覆部材７８と封印部材８０ａに跨がる部位に割符表示部を設けてもよい。同様に、実施例２では、基板ケース７ａの開放時に、保護部材８２と封印部材８０ｂの一方も破壊されるため、保護部材８２と封印部材８０ｂに跨がる部位に割符表示部を設けてもよい。これらの部材間に跨がるように割符表示部を配設した場合にも、不正行為者が、複数組の基板ユニット６ａの部材を寄せ集めて、ケース開放の痕跡を消そうとしたことを、割符表示部の表示によって見破ることができる。
【００４６】
また、上記実施例では、非割符表示部が、割符表示部に近接配置されているが、非割符表示部を、割符表示部から離間した部位に配設してもよい。また、上記実施例では、非割符表示部は、割符表示部が設けられる部材の一方又は両方に配設されているが、非割符表示部を、割符表示部が配設されない部材に配設してもよい。例えば、実施例２の基板ユニット６ａであれば、基板ホルダ７１やピン被覆部材７８、保護部材８２などに非割符表示部５２ａを配設するようにしてもよい。
【００４７】
また、上記実施例では、割符表示部及び非割符表示部が、制御基板を避けるように基板ケースの周辺部に配設されているが、非割符表示部は、カバー部材とベース部材の隣接部位以外にも配設可能であるため、基板ケースの中央部付近で、制御基板の手前側に重なるよう配設してもよい。例えば、上記実施例２であれば、図１４のＱ部分などに非割符表示部を配設してもよい。ここで、非割符表示部を制御基板の手前側に配設する場合には、レーザマーキング以外の方法で識別情報を形成することが望ましい。遊技機用制御基板は、総じて暗い色（主に暗い緑色）であるため、レーザマーキングにより形成される黒色系統の識別情報では、裏側の制御基板とのコントラストが低くなり、視認し難いためである。また、レーザマーキングの際に、レーザ光が裏側の制御基板に悪影響を及ぼすおそれもある。このため、非割符表示部を、制御基板の手前側に配設する場合には、熱転写印刷やインクジェット印刷によって、裏側の制御基板の色とのコントラストが高くなる色で、識別情報を形成することが望ましい。具体的には、制御基板が暗い緑色であるならば、非割符表示部の識別情報の色は、制御基板の色よりも明度の高い白色系統や黄色系統や、制御基板の色と補色関係に近い赤色系統などにすることが望ましい。
【００４８】
また、上記実施例にあって、割符表示部と非割符表示部に表示される識別情報は、基板ユニットに固有のシリアル番号であったが、本発明に係る識別情報は、基板ユニットに固有なものに限られず、ロット番号などであってもよい。また、上記実施例では、識別情報が１０桁の数字（アラビア数字）で表されているが、識別情報は、数字に限らず、文字やその他の記号、又はそれらの組合せで構成されるものでもよい。また、上記実施例では、割符表示部と非割符表示部に表示される識別情報は完全に同一であるが、割符表示部と非割符表示部の識別情報は、同一内容であれば照合可能であるため、それらの表記は相違していてもよい。具体的には、割符表示部では識別情報を漢字で表示して、非割符表示部では当該漢字の読みを平仮名で表示するようにしてもよい。また、割符表示部では識別情報を数字で表示して、非割符表示部では当該数字を記録するバーコードを表示するようにしてもよい。
【００４９】
また、上記実施例では、割符表示部の識別情報を構成する全ての数字が、カバー部材とベース部材の境界と交差するように印字されているが、本発明に係る割符表示部では、識別情報を構成する記号の少なくとも一部が、第１の部材と第２の部材の境界と交差するように印字されていればよい。また、割符表示部の配設部位において、第１の部材と第２の部材の境界は直線状でなくてもよい。
【００５０】
また、上記実施例では、割符表示部が配設されるカバー側表示部とベース側表示部は、面一となって隙間なく隣接する平坦面であるが、本発明に係る割符表示部は、凹凸面に配設されていてもよいし、部材間の境界に段差や微間隙のある部位に配設されていてもよい。
【符号の説明】
【００５１】
１  スロットマシン（遊技機）
６，６ａ  遊技機用基板ユニット
７，７ａ  基板ケース
８，８ａ  制御基板（遊技機用制御基板）
１０  カバー部材（第１の部材）
１１  ベース部材（第２の部材）
１２  ロック部材
４０  封印構造
５１，５１ａ  割符表示部
５２，５２ａ  非割符表示部
５３，５３ａ  カバー側表示部
５４，５４ａ  ベース側表示部
５５，５５ａ  境界線
５６，５７  識別情報
５８，５９  数字
７１  基板ホルダ
７８  ピン被覆部材
７９，８３  螺子固定部
８０ａ，８０ｂ  封印部材
８２  保護部材
【図１】
2020081682.tif 000003
【図２】
2020081682.tif 000004
【図３】
2020081682.tif 000005
【図４】
2020081682.tif 000006
【図５】
2020081682.tif 000007
【図６】
2020081682.tif 000008
【図７】
2020081682.tif 000009
【図８】
2020081682.tif 000010
【図９】
2020081682.tif 000011
【図１０】
2020081682.tif 000012
【図１１】
2020081682.tif 000013
【図１２】
2020081682.tif 000014
【図１３】
2020081682.tif 000015
【図１４】
2020081682.tif 000016